(57)【要約】【課題】ユニットケース内の隙間の音響インピーダンスを低くせずとも十分な雑音低減効果が得られ、マイクロホンユニット内蔵部品間相互の偏心を防止することができる狭指向性マイクロホンユニット、狭指向性マイクロホンを提供する。【解決手段】  ユニットケース４は、前部音響端子２を形成する小径内周部７と、内蔵部品５を内包する大径内周部８と、小径内周部７と大径内周部８の間に形成されていて内蔵部品５を位置決めする肩部１５と、を有し、ユニットケース４はまた、大径内周部８に形成された軸線Ａ方向の溝Ｂと、肩部１５に半径方向に形成されて軸線Ａ方向の溝Ｂに連通する半径方向の溝Ｄを有し、軸線Ａ方向の溝Ｂと半径方向の溝Ｄは、前部音響端子２と後部音響端子３との連通路Ｃになっている。【選択図】        図１
2012039445.tif 000002
【特許請求の範囲】
【請求項１】
音波を受けて振動する振動板と、
上記振動板を内包するユニットケースと、
上記振動板の前面側に通じる前部音響端子と上記振動板の後面側に通じる後部音響端子
と、
上記前部音響端子と上記後部音響端子を連通させる連通路と、を有し、
上記振動板の振動を音声信号に変換する狭指向性マイクロホンユニット、であって、
上記ユニットケースは、上記前部音響端子を形成する小径内周部と、上記内蔵部品を内
包する大径内周部と、上記小径内周部と上記大径内周部の間に形成されていて内蔵部品を
位置決めする肩部と、を有し、
上記ユニットケースはまた、上記大径内周部に形成された軸線方向の溝と、上記肩部に
半径方向に形成されて上記軸線方向の溝に連通する半径方向の溝を有し、
上記軸線方向の溝と上記半径方向の溝は、上記前部音響端子と上記後部音響端子との上
記連通路になっていることを特徴とする狭指向性マイクロホンユニット。
【請求項２】
連通路は、エンドミルによるフライス加工によって形成されている請求項１に記載の狭
指向性マイクロホン。
【請求項３】
連通路は、ユニットケースの周方向に放射状に等間隔で複数箇所に形成されている請求
項１または２に記載の狭指向性マイクロホン。
【請求項４】
内蔵部品は、ユニットケースに螺合するロックリングによって上記ユニットケースに位
置決めされている請求項１乃至３のいずれかに記載の狭指向性マイクロホン。
【請求項５】
ロックリングは、上記前部音響端子と上記後部音響端子との連通路の一部として段差を
有している請求項４に記載の狭指向性マイクロホン。
【請求項６】
請求項１乃至５のいずれかに記載の狭指向性マイクロホンユニットが音響管内に組み込
まれていることを特徴とする狭指向性マイクロホン。
【発明の詳細な説明】
【技術分野】
【０００１】
本発明は、狭指向性マイクロホンユニットおよび狭指向性マイクロホンに関し、より詳
しくは、振動雑音、風雑音を低減できるとともにその性能を高くすることができる狭指向
性マイクロホンユニットおよび狭指向性マイクロホンに関するものである。
【背景技術】
【０００２】
狭指向性マイクロホンは、一般に、マイクロホンユニット（以下「狭指向性マイクロホ
ンユニット」という。）が細長い音響管内に組み込まれている。上記音響管の開放端に風
が当たると、狭指向性マイクロホンユニットを構成する振動板の前後に圧力差が生じ、圧
力差を原因とする風雑音が生じる。狭指向性マイクロホンは、風雑音が生じやすい。その
理由としては、音波導入口となる音響管の先端と後部音響端子との間の距離が長くなるた
め、狭指向性マイクロホンユニットの振動板前後、すなわち前部音響端子と後部音響端子
との間に圧力差が生じ易く、これにより低音域において大きな風雑音が発生する。また、
音響管の内部の空気は、低い周波数では音響質量として動作し、この音響質量は、振動板
に付加されたことと等価な状態になって動作する。このことから振動雑音が大きくなる。
風雑音と振動雑音は、ともに低い周波数成分が主である。そこで、狭指向性マイクロホン
にはこれらの雑音の出力を制御するために、電子回路にローカットフィルターを用いるこ
とがある。しかし、振動板が風や振動で変位しているため、音声信号はこの変位によって
変調され、ローカットフィルターを用いても十分な雑音低減効果は得られない。
【０００３】
そこで、特許文献１では、狭指向性マイクロホンユニットを音響管内周面から間隙をお
いて位置させることにより、前部音響端子と後部音響端子との間に連通路を形成し、これ
により前部音響端子と後部音響端子との間に生じた圧力差を均衡させる狭指向性マイクロ
ホンを提案している。この狭指向性マイクロホンによれば、前部音響端子と後部音響端子
との間に圧力差が生じても、高い圧力側の空気が低い圧力側に流入するため圧力差が均衡
し、これにより風雑音を低減することができる。
【０００４】
しかしながら、特許文献１に記載の発明では、狭指向性マイクロホンユニットが、音響
管内において、音響管内周面から間隙をおいて位置するため音響管が太くならざるを得ず
、全体形状が大型化するという問題がある。このため、特許文献１に記載の狭指向性マイ
クロホンは、音響管の外径が大きくても支障がない場合には好適であるが、音響管を例え
ば直径８ｍｍというように外径を小さくしたい場合、音響管の内径よりも格段に小さな外
径を有する小型のマイクロホンユニットを使用しなければならない。一般的に、マイクロ
ホンユニットは、小型化に伴って有効静電容量が小さくなるため、感度とＳＮ比を高くす
ることができない。
【０００５】
そこで、本出願人は、図６に示すように、狭指向性マイクロホンユニット４０のユニッ
トケース４内に前部音響端子２と後部音響端子３とを連通する連通路Ｃ´を形成してなる
狭指向性マイクロホンについて特許出願をした（特許文献２参照。）特許文献２記載の発
明によれば、前部音響端子２と後部音響端子３との間に圧力差が生じても、高い圧力側の
空気が低い圧力側に流入し、圧力差が均衡する。
【０００６】
このように、特許文献２記載の発明によれば、従来より圧力差を原因として生じていた
風雑音を低減できることになる。さらに、連通路Ｃ´は、ユニットケース４内に形成され
ているため、従来のように音響管の内径から間隙をおいて狭指向性マイクロホンユニット
４０を位置させる必要性を解消できることになる。したがって、従来の狭指向性マイクロ
ホン４０に比較して音響管を小径化できることになる。
【０００７】
しかしながら、図６に示すような特許文献２に記載の発明は、例えば、全長が１００ｍ
ｍ以上の音響管を用いる低い周波数まで狭指向性を持つ狭指向性マイクロホンユニットに
その構成を適用すると、ユニットケース４内の連通路Ｃ´を設けることによってできる隙
間Ｂ´の音響インピーダンスを低くしないと十分な雑音低減効果を得られなくなる。また
、ユニットケース４の内径と、狭指向性マイクロホンユニット４０の内蔵部品５（ユニッ
トケース４以外の狭指向性マイクロホンユニット４０の部品）の外径を調整することでユ
ニットケース４内の隙間Ｂ´を大きくすると、内蔵部品５間相互の偏心が大きくなり、狭
指向性マイクロホンユニット１の軸線ＡがＡ´に移動してしまうことがある。それゆえ狭
指向性マイクロホンユニット４０の性能を向上させることができない。また、内蔵部品５
間相互の偏心が起こると、スペーサ１７が振動板１３の振動する部分を押してしまい、振
動板１３の振動する部分に傷をつけてしまう可能性がある。さらに、特許文献２に記載の
発明では、連通路Ｃ´を設けるため、ユニットケース４と振動板保持体１４の間に金属網
５０が配置されている。金属網５０自体が空隙を持ち、これによって内蔵部品５の各外周
面とユニットケース４の内周面との間に隙間ができるため、連通路Ｃ´が形成される。し
かしながら、この場合金属網５０で形成した連通路Ｃ´は細くなってしまい、金属網５０
そのものが音響抵抗となるため、音響特性に悪影響を起こす可能性がある。
【先行技術文献】
【特許文献】
【０００８】
【特許文献１】特開昭６２−１１８６９８号公報
【特許文献２】特開平４−２４６９９９号公報
【発明の概要】
【発明が解決しようとする課題】
【０００９】
本発明は、低い周波数まで狭指向性を持つ狭指向性マイクロホンにおいて、前部音響端
子と後部音響端子を連通させる連通路の音響インピーダンスを低くすることを可能にして
、十分な雑音低減効果が得られ、ユニットケースの内径と、マイクロホンユニットの内蔵
部品の外径でマイクロホンユニット内の隙間を大きくしても、マイクロホンユニット内蔵
部品間相互の偏心を防止することができ、音響特性を向上させることができる狭指向性マ
イクロホンユニット、それを使用する狭指向性マイクロホンを提供することを目的する。
【課題を解決するための手段】
【００１０】
本発明は、音波を受けて振動する振動板と、振動板を内包するユニットケースと、振動
板の前面側に通じる前部音響端子と振動板の後面側に通じる後部音響端子と、前部音響端
子と上記後部音響端子を連通させる連通路と、を有し、振動板の振動を音声信号に変換す
る狭指向性マイクロホンユニット、であって、ユニットケースは、前部音響端子を形成す
る小径内周部と、内蔵部品を内包する大径内周部と、小径内周部と大径内周部の間に形成
されていて内蔵部品を位置決めする肩部と、を有し、ユニットケースはまた、大径内周部
に形成された軸線方向の溝と、肩部に半径方向に形成されて軸線方向の溝に連通する半径
方向の溝を有し、軸線方向の溝と半径方向の溝は、前部音響端子と後部音響端子との連通
路になっていることを最も主要な特徴とする。
【発明の効果】
【００１１】
本発明にかかる狭指向性マイクロホンユニットによれば、内蔵部品を位置決めする肩部
と、肩部に半径方向に形成されて上記軸線方向の溝に連通する半径方向の溝を有し、軸線
方向の溝と半径方向の溝は、前部音響端子と後部音響端子との連通路になっていることに
よって、低い周波数まで狭指向性を持つ狭指向性マイクロホンでも、前部音響端子と後部
音響端子を連通させる連通路の音響インピーダンスを低くすることを可能にして、十分な
雑音低減効果が得られ、ユニットケースの内径と、マイクロホンユニットの内蔵部品の外
径で狭指向性マイクロホンユニット内の隙間を大きくしても、マイクロホンユニット内蔵
部品間相互の偏心を防止することができ狭指向性マイクロホンユニットおよびそれを使用
する狭指向性マイクロホンの性能を向上させることができる。
【図面の簡単な説明】
【００１２】
【図１】本発明にかかる狭指向性マイクロホンユニットの実施例を示す断面図である。
【図２】上記実施例中のユニットケースを示す断面図である。
【図３】上記実施例中のユニットケースを示す下面図である。
【図４】上記実施例に適用可能なロックリングの例を示す斜視図である。
【図５】本発明にかかる狭指向性マイクロホンの例を示す断面図である。
【図６】従来の狭指向性マイクロホンユニットを示す断面図である。
【発明を実施するための形態】
【００１３】
以下、本発明に係る狭指向性マイクロホンユニットおよび狭指向性マイクロホンの実施例
について図面を参照しながら説明する。なお、本発明にかかる狭指向性マイクロホンユニ
ットおよび狭指向性マイクロホンは、実施例の構成に限定されるものではない。また、マ
イクロホンケース４によって内包される部品を「内蔵部品」とする。図６に示した従来例
と同様の構成には、同様の符号を用いる。
【００１４】
図１において、狭指向性マイクロホンユニット１は、音波を受けて振動する円盤状の薄
膜からなる振動板１３と、振動板１３を内包する円筒状のユニットケース４と、この振動
板１３の周縁部が固着されたリング状の振動板保持体１４と、リング状のスペーサ１７と
、スペーサ１７を介在させることにより振動板１３との間に隙間をおいて対向配置され振
動板１３との間でコンデンサを構成する円盤状の固定極１２と、電極６と、固定極１２の
背面側（図１の下側）に設けられた絶縁体からなる絶縁座１０と、前部音響端子２と後部
音響端子３と、前部音響端子２と後部音響端子３を連通させる連通路Ｃとを有している。
音波を受けて振動板１３は、上述のように固定極１２との間で構成したコンデンサの容量
を変化させ、音波を音声信号に変換する。
【００１５】
円筒状をしたユニットケース４は、その先端部分（図１、図２の上側）に音波の導入孔
を有している。ユニットケース４は、その内周に図１、図２において上側にある前部音響
端子２を形成している小径内周部７と、図１、図２において下側に形成された、内蔵部品
５を内包している大径内周部８と、小径内周部７と大径内周部８の間に形成されていて内
蔵部品５を位置決めしている肩部１５とを有している。図１において、内蔵部品５は、ユ
ニットケース４に螺合するロックリング１１と肩部１５との間に挟まれて固定され、位置
決めされている。ユニットケース４の内部には、ロックリング１１を螺合するねじ部９が
形成されている。また、ユニットケース４は、大径内周部８に形成された軸線Ａ方向の溝
Ｂと、肩部１５に半径方向に形成されて軸線Ａ方向の溝Ｂに連通する半径方向の溝Ｄを有
し、軸線Ａ方向の溝Ｂと半径方向の溝Ｄは、前部音響端子２と後部音響端子３とのを連通
させる連通路Ｃになっている。
【００１６】
ユニットケース４は、小径内周部７と大径内周部８と、肩部１５を形成していれば適宜
の形状を選択でき、図１の実施例に記載されているように外周が大径内周部８、小径内周
部７に対応した大径外周部、小径外周部となっていてもよく、外周が全長に渡って同一径
の単なる円筒状で、その内周側に大径内周部８、小径内周部７、肩部１５がその内周に形
成されていてもよい。
【００１７】
図２、図３において、ユニットケース４は、その内側からエンドミルでフライス加工さ
れ、上述の大径内周部における溝Ｂが形成され、半径方向の溝Ｄが形成されている。溝Ｂ
と溝Ｄの両者を合わせたものが窪みＥである。窪みＥは、エンドミルで加工されているた
め、その形状は、軸線Ａ方向に円弧状に形成されている。このように、溝Ｄと溝Ｂが連通
されていて、連通路Ｃを形成している。エンドミルでフライス加工することにより、ユニ
ットケース４の窪みＥを簡単に形成することができる。また、上述のように機械加工する
ことにより、図６に示す従来例で用いられていた金属網５０を設ける必要がなくなり、金
属網５０が音響特性に悪影響を起こす可能性をなくし、部品数を減らしてコストを低減す
ることができる。
【００１８】
なお、窪みＥの形状は、上述のものに限らず適宜のものが選択できる。また、窪みＥ（
連通路Ｃ）は、ユニットケース４に少なくとも１つ形成されていれば良く、等間隔に複数
箇所形成されていてもよく、図示のように３箇所形成されていてもよい。連通路Ｃは、図
示のようにユニットケースの周方向に放射状に１２０度間隔で３か所形成されていると、
連絡路Ｃの通気性とユニットケース４の耐久性を良くすることができる。また、窪みＥの
加工の方法としては、上述のものに限らず、適宜の方法を選択できる。
【００１９】
このようにすることにより、軸線Ａ方向の溝Ｂと半径方向の溝Ｄは、前部音響端子２と
後部音響端子３との連通路Ｃになっていることによって、低い周波数まで狭指向性を持つ
狭指向性マイクロホンでも、前部音響端子と後部音響端子を連通させる連通路の音響イン
ピーダンスを低くすることを可能にして、十分な雑音低減効果が得られる。ユニットケー
ス４の内径と、狭指向性マイクロホンユニット１の内蔵部品５の外径で狭指向性マイクロ
ホンユニット１内の隙間Ｂを大きくしても、内蔵部品５間相互の偏心を防止することがで
きるため、内蔵部品５間の相互の偏心を防止することができ、偏心によって振動板１３を
押されてしまい、スペーサ１７が振動板１３に傷をつけてしまう可能性をなくすことがで
きる。そして狭指向性マイクロホンユニット１、およびそれを使用する狭指向性マイクロ
ホンの性能を向上させることができる。
【００２０】
図１において、リング状のロックリング１１は、ユニットケース４のねじ部９と螺合す
るためのねじ山を外周に有し、さらに段部１１Ａを絶縁座１０側に、孔１１Ｂをユニット
ケース４の下側（図１の下側）に有していて、これによって上述の連通路Ｃを形成してい
る。段部１１Ａと孔１１Ｂの形状としては、適宜の形状にすることができ、例えば、図４
の（Ａ）のように、ロックリング１１に、その内周側全周に段部１１Ａを形成し、内側の
窪みの部分に、円筒状の孔１１Ｂを形成する。また、図４の（Ｂ）のように、ロックリン
グ１１の内周側に立方体状の凹陥部１１Ｃを複数箇所形成し、凹陥部１１Ｃの底面に円筒
状の孔１１Ｄを形成してもよい。このようにすることにより、ロックリング１１は、内蔵
部品５を固定しつつ、上述の連絡路Ｃの一部を形成することができる。なお、内蔵部品５
を固定する方法は、連通路Ｃを形成できる限り適宜のものが選択できるため、上述のよう
にロックリング１１を使用しなくてもよい。
【００２１】
図１において、絶縁座１０は、固定極６と接している正面（図１の上面）に凹陥部１０
Ａが設けられている。この凹陥部１０Ａには、固定極１２の背面側（図１の下側）からユ
ニットケース４の外部に通ずる後部音響端子３が形成されている。絶縁座１０の中心には
、電極６が貫通して固定されていて、固定極１２と、振動板１３によって生成された音声
信号を外部に出力できるようになっている。固定極１２は、絶縁座１０の凹間部１０Ａ方
向に落としこまれて固定されていて、上述のように、振動板１３とスペーサ１７を介在さ
せることにより振動板１３に隙間をおいて対向配置され振動板１１との間でコンデンサを
構成する。
【００２２】
図５において、狭指向性マイクロホン１０１は、音響管２０の一端に狭指向性マイクロ
ホンユニット１の先端を嵌合して構成されている。狭指向性マイクロホンユニット１は、
適宜形成された固定部２５にその後端を固定されている。音響管２０には、その周面に複
数の開口２２が形成されている。音響管２０は、このように軸方向の一端側が狭指向性マ
イクロホンユニット１の前部音響端子２側に固定されている。上述の連通路Ｃから抜け出
た空気は、矢印でしめすように、音響管２０の開口部２２から外部に抜けさせることがで
きる。音響管２０の外周面には、図示しないフェルトやナイロンメッシュ等の不織布によ
り構成された音響抵抗材が設けられている。また、狭指向性マイクロホンユニット１およ
び音響管２０の外周面には、図示しない適宜の外管を嵌合することができる。狭指向性マ
イクロホンユニット１の電極６は、その後端にある接続部２６に固定され、図示しない適
宜の電気回路と接続され、狭指向性マイクロホン１０１を構成している。音響管２０と、
狭指向性マイクロホンユニット１の取り付け構造は、上述のものに限らず適宜のものを採
用可能である。
【産業上の利用可能性】
【００２３】
以上、本発明の実施形態の一例について説明したが、本発明はこの実施例の構成に限ら
れるものではなく、特許請求の範囲に記載した技術思想を逸脱しない範囲で設計変更する
ことができる。例えば、本発明にかかる狭指向性マイクロホンのユニットケースの内蔵部
品の構成をコンデンサマイクロホンではなく、ダイナミックマイクロホンにしてもよい。
【符号の説明】
【００２４】
１  狭指向性マイクロホンユニット
２  前部音響端子
３  後部音響端子
４  ユニットケース
５  内蔵部品
６  電極
７  小径内周部
８  大径内周部
９  ねじ部
１０  絶縁座
１１  ロックリング
１２  固定極
１３  振動板
１４  振動板保持体
１５  肩部
Ｃ  連通路
１０１  狭指向性マイクロホン
【図１】
2012039445.tif 000003
【図２】
2012039445.tif 000004
【図３】
2012039445.tif 000005
【図４】
2012039445.tif 000006
【図５】
2012039445.tif 000007
【図６】
2012039445.tif 000008